(57)【特許請求の範囲】
【請求項１】
地表面下に設けた排水機能を有する水槽と、当該水槽内に立する一対のガイド柱と、当該ガイド柱に沿って昇降する止水扉を有し、止水扉の下部に下部フロートを、止水扉の上部に上部フロートをそれぞれ設け、水が前記水槽内に流入し排水能力を超えると、前記止水扉が、設定された浮上開始位置に応じて、前記下部フロートあるいは上部フロートの浮力により、水位とともに上昇しながら止水し、水位が下降するとともに下降し格納される、ことを特徴とする自然作動のフロート式止水扉システム。
【請求項２】
地表面下に設けた排水機能を有する水槽と、当該水槽内に立する一対のガイド柱と、当該ガイド柱に沿って昇降する止水扉を有し、止水扉の下部に下部フロートを、止水扉の上部に上部フロートをそれぞれ設け、前記一対のガイド柱の少なくとも一方の上部側に滑車を設け、当該滑車を介して一方を前記止水扉に固定し他方にカウンターウエイトを吊るし、水が前記水槽内に流入し排水能力を超えると、前記止水扉が、設定された浮上開始位置に応じて、前記下部フロートあるいは上部フロートの浮力とにより、水位とともに上昇を開始し、前記カウンターウエイトの重量により、上昇を補強しながら止水し、水位が下降するとともに下降し格納される、ことを特徴とする自然作動のフロート式止水扉システム。
【請求項３】
上部フロート及び下部フロートの浮力をそれぞれ設定することで、止水扉の浮上開始位置を上部フロート又は下部フロートのどちらかの位置に設定できることが特徴の請求項１に記載のフロート式止水扉システム。
【請求項４】
上部フロート及び下部フロートの浮力をそれぞれ設定することで、止水扉の浮上開始位置を上部フロート又は下部フロートのどちらかの位置に設定できることが特徴の請求項２に記載のフロート式止水扉システム。
【請求項５】
ガイド柱と止水扉を傾斜させて形成し、当該止水扉の前面をせり上がった水流が、止水扉に設けたステップ部を押し上げることで、水圧や水流の影響で作動不良になる事を防ぎ、安定して作動する事が特徴の請求項１あるいは請求項２のいずれかに記載のフロート式止水扉システム。
【発明の詳細な説明】
【技術分野】
【０００１】
本発明は水害対策に関し、大雨や台風や津波による増水やその他の原因によって水が押し寄せてくる時に水が流入する可能性のある地下鉄や地下施設や地区など、様々な建築建造物の出入り口ないし通路などに設置し水が内部に流入することを無動力で人が操作する事無く自然作動で防ぎ、水圧の影響を受けてもスムーズに作動する止水扉システムに関する。
【背景技術】
【０００２】
また、近年の異常気象の影響による集中豪雨や台風などに対しても、都市部や市街地での地下施設や低い土地への水の流入に対しての設備がされていないところも多く現実に多くの被害、被害者が出ている。
【０００３】
また、都市部は人口過密状態で地下施設が多く内陸地であっても集中豪雨や河川の氾濫など、水害発生時には避難活動が困難な施設がある。
【０００４】
また、電力や動力を使用する止水扉の場合、停電時には作動ができない可能性があり、十分な能力を発揮することができない事も考えられ、手動に切り替えて作動させても緊急時には間に合わない場合や人命が危険にさらされることもあり、避難が困難な場合がある事を想定すると緊急避難所や避難用シェルター建設が必要などとも言われている。
【０００５】
また、水害が予想されている地域には移転することが困難な施設が多く建設されていて日常的に多くの人たちに利用されている状況であるため、何らかの予防対策が必要とされているが十分といえるものが数少ないのが現状である。
【０００６】
また、浮力と地下格納式のいずれかを利用し止水するシステムがいくつか提案されている。（特許文献１、特許文献２、特許文献３、特許文献４）
【０００７】
また、従来の設備の場合、通常利用時に人や車両の出入りする事を考えると、止水扉には強度を確保する必要があり、止水扉の素材や構造について重量に制限があったり、人による操作を必要としたり停電時には作動困難であったり閉鎖にある程度の時間が必要である事や水圧の影響を受けるなど様々な課題がある。
【先行技術文献】
【特許文献】
【０００８】
【特許文献１】特許公開２００３ー１４７７５２号広報
【特許文献２】特許公開２００９ー０４１３４０号広報
【特許文献３】特許公開２００９ー０４１３４０号広報
【特許文献４】登録実用新案  第３１５９５１２号広報
【発明の概要】
【発明が解決しようとする課題】
【０００９】
本発明は上記問題点に関して無動力で人による操作が必要なく、洪水や河川の氾濫や津波などの水害から地下鉄や地下施設や住居や通路など様々な建築建造物の内部又は内側の地区に水が流入することを自然作動により防ぎ、十分な強度を確保し、水圧の影響を受けてもスムーズに作動する止水扉の提供を図るものである。
【課題を解決するための手段】
【００１０】
本発明の、自然作動型のフロート式止水扉は水害から守ろうとする対象となる地下鉄や地下施設や地区など、様々な建築建造物や通路などの出入り口の前面の地表面より下に下水などへの排水機能を有した水槽を形成し、出入り口のカベ左右に上部を内側に傾斜させたガイド柱を設置し、その内側にシール部材を取り付け、左右のガイド柱の溝の間に左右対称にローラーを取り付け、下部又は上部又は上部と下部にフロートが取り付けられシール材設置面が平面に保たれた扉を設置し、必要な場合には、止水扉にワイヤを取り付け前記ガイド柱上部に滑車を設けて左右に吊るしたカウンターウエイトもしくはどちらか一方に吊るしたカウンターウエイトよって、水が流入し排水能力を超え水槽内の水位上昇した場合、フロートの浮力によって水位の上昇とともに扉が上昇しながら止水し水位が下降するとともに扉も下降し水槽内が排水されれば格納される手段をとる。
【００１１】
また、上部フロートと下部フロートとカウンターウエイトと内側に傾斜したガイド柱とローラーと抵抗板の役割を果たすステップ部を設置した止水扉により、重量級の止水扉が使用できて、速い流れの水が押し寄せて大きな水圧を受けても止水扉が傾斜している事で止水扉が受ける水流は上向きに転換しステップ部と上部フロートが水流を受けて止水扉を上昇させる力が発生し、止水扉が受ける水流の強さに応じて扉を押し上げる力も大きくなる事で水圧の影響を受けても安定して作動するので、水流を受けても止水扉は動作を停止する事なく止水しながら上昇下降する手段をとる。
【００１２】
また、下部フロートの浮力とカウンターウエイトの重量が止水扉の重量を支えて、止水扉上部のステップが水流を受ける抵抗板の役目を果たす事で、上部フロートの浮力と相乗して水位上昇速度に対する止水扉の上昇速度と高さを適正に保つことができる手段をとる。
【００１３】
また、想定される規模と種類の水害に合わせた設置形態と選択される浮上開始位置を上部フロートと下部フロートとカウンターウエイトの組み合わせで選択できる手段をとる。
【００１４】
また、様々な場所や施設に設置できて耐用年数が長く維持費が安く、設置形態と設定が違っても基本構造が同一で比較的簡素な構造なため点検作業等が比較的容易で、破損するリスクも低くなり、部材点数が少ない事で制作コストも押さえられるため総合的効果と対費用効果を高める手段をとる。
【発明の効果】
【００１５】
本発明の、自然作動型のフロート式止水扉は水害から守ろうとする対象となる地下鉄や地下施設や地区など、様々な建築建造物や通路などの出入り口の前面の地表面より下に下水などへの排水機能を有した水槽を形成し、出入り口のカベ左右に上部を内側に傾斜させたガイド柱を設置し、その内側にシール部材を取り付け、左右のガイド柱の溝の間に左右対称にローラーを取り付け、下部又は上部又は上部と下部にフロートが取り付けられシール材設置面が平面に保たれた扉を設置し、必要な場合には、止水扉にワイヤを取り付け前記ガイド柱上部に滑車を設けて左右に吊るしたカウンターウエイトもしくはどちらか一方に吊るしたカウンターウエイトよ  って、水が流入し排水能力を超え水槽内の水位上昇した場合、フロートの浮力によって水位の上昇とともに扉が上昇しながら止水し水位が下降するとともに扉も下降し水槽内が排水されれば格納される優れた効果を奏する。
【００１６】
また、上部フロートと下部フロートとカウンターウエイトと内側に傾斜したガイド柱とローラーと抵抗板の役割を果たすステップ部を設置した止水扉により、重量級の止水扉が使用できて、速い流れの水が押し寄せて大きな水圧を受けても止水扉が傾斜している事で止水扉が受ける水流は上向きに転換しステップ部と上部フロートが水流を受けて止水扉を上昇させる力が発生し、止水扉が受ける水流の強さに応じて扉を押し上げる力も大きくなる事で水圧の影響を受けても安定して作動するので、水流を受けても止水扉は動作を停止する事なく止水しながら上昇下降する優れた効果を奏する。
【００１７】
また、下部フロートの浮力とカウンターウエイトの重量が止水扉の重量を支えて、止水扉上部のステップが水流を受ける抵抗板の役目を果たす事で、上部フロートの浮力と相乗して水位上昇速度に対する止水扉の上昇速度と高さを適正に保つ優れた効果を奏する。
【００１８】
また、想定される規模と種類の水害に合わせた設置形態と選択される浮上開始位置を上部フロートと下部フロートとカウンターウエイトの組み合わせで選択できる優れた効果を奏する。
【００１９】
また、様々な場所や施設に設置できて耐用年数が長く維持費が安く、設置形態と設定が違っても基本構造が同一で比較的簡素な構造なため点検作業等が比較的容易で、破損するリスクも低くなり、部材点数が少ない事で制作コストも押さえられるため総合的効果と対費用効果を高める優れた効果を奏する。
【図面の簡単な説明】
【００２０】
【図１ａ】本発明の実施例１における止水扉本体が待機状態の右側面構造図
【図１ｂ】本発明の実施例１における止水扉本体が待機状態の正面構造図
【図１ｃ】本発明の実施例１における上昇状態にある右側面構造図
【図１ｄ】本発明の実施例１における上昇状態にある正面構造図
【図２ａ】本発明の実施例２における止水扉本体が待機状態の右側面構造図
【図２ｂ】本発明の実施例２における止水扉本体が待機状態の正面構造図
【図２ｃ】本発明の実施例２における上昇状態にある右側面構造図
【図３ａ】本発明の実施例３における止水扉本体が待機状態の右側面構造図
【図３ｂ】本発明の実施例３における止水扉本体が待機状態の正面構造図
【図３ｃ】本発明の実施例３における上昇状態にある右側面構造図
【図３ｄ】本発明の実施例３における上昇状態にある正面構造図
【図４ａ】本発明の実施例４における止水扉本体が待機状態の右側面構造図
【図４ｂ】本発明の実施例４における止水扉本体が待機状態の正面構造図
【図４ｃ】本発明の実施例４における上昇状態にある右側面構造図
【図５ａ】本発明の実施例５における止水扉本体が待機状態の右側面構造図
【図５ｂ】本発明の実施例５における止水扉本体が待機状態の正面構造図
【図５ｃ】本発明の実施例５における上昇状態にある右側面構造図
【図５ｄ】本発明の実施例５における上昇状態にある正面構造図
【図６ａ】本発明の実施例６における止水扉本体が待機状態の右側面構造図
【図６ｂ】本発明の実施例６における止水扉本体が待機状態の正面構造図
【図６ｃ】本発明の実施例６における上昇状態にある右側面構造図
【図７ａ】本発明の実施例７における止水扉本体が待機状態の右側面構造図
【図７ｂ】本発明の実施例７における止水扉本体が待機状態の正面構造図
【図７ｃ】本発明の実施例７における上昇状態にある右側面構造図
【図７ｄ】本発明の実施例７における上昇状態にある正面構造図
【図８ａ】本発明の実施例８における止水扉本体が待機状態の右側面構造図
【図８ｂ】本発明の実施例８における止水扉本体が待機状態の正面構造図
【図８ｃ】本発明の実施例８における上昇状態にある右側面構造図
【図９】止水扉本体の右側面構造図
【図１０】シール部材の正側面図
【図１１】ガイド柱と水槽の右側面構造図
【図１２】止水扉本体が格納した状態の上面構造図
【図１３】カウンターウエイトを使用した止水扉本体が格納した状態の拡大正面構造図
【図１４】補助設備及び装置の設置例の右側面拡大構造図
【発明を実施するための形態】
【００２１】
本発明を実施するための形態について、基本構造を同じくした８実施例の実施形態と設定実施方法を図面を参照し詳細に説明する。
【００２２】
実施例１を、図１ａと図１ｂと図１ｃと図１ｄを用いて詳細に説明する。
図１ａと図１ｂの止水扉本体１の上部に設置されたステップ部３の上面が地上面Ｅと同じ高さになるように水槽Ｃに格納されていて、水が流入し水槽Ｃに設けた排水孔Ｄにより通常は排水されるが、排水能力を上回り水槽Ｃの内の水位が上昇し図ａ１と図１ｂのいずれかの浮上開始位置１Ｆ１以上の水位で上部フロート５によって止水扉本体１は止水しながら水位と共に上昇下降することで施設内部Ａを水が侵入する事から守り、水位上昇速度が遅い場合や上昇水位が低い場合や完全に閉鎖する事を必要としない施設への設置や水位上昇中に避難者等が出入りする事を想定し使用される。
【００２３】
また、図１ａと図１ｃの止水扉本体１が水圧を受けても正常に作動する事に関して、上部フロート５の浮力により止水扉本体１が上昇下降する動作をメインガイドローラー７ａ７ｂと横方向ガイドローラー８ａ８ｂが図１ａと図１ｃのいずれかの施設側壁Ｂに沿って形成する傾斜した左右のガイド柱２の間で転がりながら行う事で、水圧が止水扉本体１を押し付ける力はメインガイドローラー７ａ７ｂと横方向ガイドローラー８ａ８ｂと補助ローラー９の回転運動により回転摩擦に転換され大部分が消化される事で水圧により止水扉本体１を押し付ける力は大幅に軽減され、止水扉本体１の上昇下降運動の際のシール部材４ａとの間に生じる比較的小さな摩擦抵抗が主な摩擦抵抗として残り、システム全体として水圧の影響を最小限に押さえる構造で、補助ローラー９は水圧により止水扉本体１が歪み図１ｂのシール部材４ａと過度に密着し水圧による止水扉本体１の歪みによる各部分の破損を防ぐ事と、止水扉本体１とシール部材４ａの間に生じる摩擦抵抗の増加による止水扉本体１の上昇下降運動を妨げないために設置されて、補助ローラー９は止水扉本体１と接触する面の幅が広い構造で必要箇所に設置する。
【００２４】
また、図１ａと図１ｃの傾斜したガイド柱２により止水扉本体１も傾斜して上下に移動する構造で止水扉本体１上部に設置されたステップ部３は上部フロート５の取り付け部となっていて抵抗板の役割も果たす事で、止水扉本体１の正面が受ける図１ｃの水流１Ｊの力は傾斜により水流２Ｋの方向に働きステップ部３が水流２Ｋの抵抗を受けて止水扉本体１を押し上げるために、上部フロート５と相乗して止水扉本体１をより安定して上昇させ、止水扉本体１を上昇させる水流２Ｋの力は水流１Ｊの力の大きさに応じて大きくなるので、水面１Ｈａの上昇下降する速度に対しての止水扉本体１の反応速度と高さが常に最適に保たれ、止水扉本体１は最高上昇位置のストッパー２２まで上昇しステップ部３を下回る水位まで防ぐことができ、止水扉本体１とステップ部３は、施設の通常利用時に車両や人の出入りに支障が無く通過する車両や人の重さに耐えられる構造になっていて、格納時に止水扉本体１は図１ａと図１ｂの下部ストッパー２１支えられていて下部フロート６が損傷しない構造になっている。
【００２５】
また、0023と0024の効果を総合する事で水圧による抵抗の大部分は消化されて図１ｃと図１ｄの止水扉本体１とシール部材４ａが接触する面積で生じる比較的軽い摩擦抵抗が主な抵抗となるので水圧による止水扉本体１の動きを妨げる抵抗が増加する事を防ぎ、下部フロート６の浮力で止水扉本体１の重量を支える事で待機状態の止水扉本体１は浮上開始位置１Ｆ１以上の水位で上部フロート５の浮力で容易に浮上する。
【００２６】
また、図１ｃと図１ｄの水槽Ｃ内の水が排水孔Ｄや外部動力などで排水されれば水面１Ｈａの降下と共に止水扉本体１は下降しながら格納される。
【００２７】
また、実施例１における図１ａと図１ｂと図１ｃと図１ｄの上部フロート５と下部フロート６の浮力の設定は、止水扉本体１と付随する各部材が浮上開始位置Ｆ１よりも下部が水中にある場合の重量と浮上開始位置Ｆ１よりも上部の重量の合計が同等よりも下回る最大浮力以下で下部フロート６によって浮上待機状態の止水扉本体１と付随する各部材の重量を支える為に必要な浮力を設定し、上部フロート５の浮力は残りの重量と止水扉本体１とシール部材４ａの摩擦抵抗を上回る浮力と被災状況や施設の使用環境を想定した安全マージンを確保した止水扉本体１を浮上させるための浮力を設定する。
【００２８】
実施例２を、図２ａと図２ｂと図２ｃを用いて詳細に説明する。
図２ａと図２ｂの止水扉本体１の上部に設置されたステップ部３の上面が地上面Ｅと同じ高さになるように水槽Ｃに格納されていて、水が流入し水槽Ｃに設けた排水孔Ｄにより通常は排水されるが、排水能力を上回り水槽Ｃの内の水位が上昇し図２ａと図２ｂのいずれかの浮上開始位置２Ｆ２を超える水位で下部フロート６によって止水扉本体１を浮上させて、水槽Ｃが満水になる前に完全に浮上する事で施設内部Ａを水害から守り、水位上昇速度が速くて短時間で大量の水が押し寄せてくる事を想定し、完全に閉鎖する事を必要としない施設へ使用され、浮上待機状態の止水扉本体１は、浮上開始位置２Ｆ２以上の水位で下部フロート６の浮力で容易に浮上する。
【００２９】
また、図２ｃの水槽Ｃに水が流入した時には止水扉本体１は水槽Ｃの水位Ｈｂの高さに応じて上昇しているので、図２ａのガイド柱２と止水扉本体１が傾斜する事の目的はメインガイドローラー７ａ７ｂと横方向ガイドローラー８ａ８ｂと補助ローラー９を安定してガイド柱２と接触させ、止水扉本体１の浮上時のガタつきを押さえシール部材４ａと止水扉本体１を常に密着させる事とガイド柱２を垂直に形成する事よりもより安定させスムーズに作動させる事と、予想以上速さでの大水量の水が押し寄せてきた時に図２ｃのステップ部３が浮上開始位置２Ｆ２を超えた水流を受けても上部フロート５と相乗して上昇方向へ押し上げるため止水扉本体１が受ける水圧により抵抗が増加する事を防ぎ、止水扉本体１は最高上昇位置のストッパー２２まで上昇しステップ部３を下回る水位まで防ぐことができ、止水扉本体１とステップ部３は、施設の通常利用時に車両や人の出入りに支障が無く通過する車両や人の重さに耐えられる構造になっていて、格納時に止水扉本体１は図２ａと図２ｂの下部ストッパー２１支えられていて下部フロート６が損傷しない構造になっていて、補助ローラー９は水圧により止水扉本体１が歪み、図２ｂのシール部材４ａと過度に密着し水圧による止水扉本体１の歪みによる各部分の破損を防ぐ事と、止水扉本体１とシール部材４ａの間に生じる摩擦抵抗の増加による止水扉本体１の上昇運動を妨げないために設置されて、補助ローラー９は止水扉本体１と接触する面の幅が広い構造で必要箇所に設置する。
【００３０】
また、図２ｃの水槽Ｃ内の水が排水孔Ｄや外部動力などで排水されれば水面２Ｈｂの降下と共に止水扉本体１は下降しながら格納される。
【００３１】
また、実施例２における図２ａと図２ｂと図２ｃの上部フロート５と下部フロート６の浮力の設定は、付属部材を全て取り付けた状態の止水扉本体１の全重量の合計重量と同等の浮力に、止水扉本体１が上昇下降する際のシール部材４ａとの間に生じる摩擦抵抗による浮力の喪失分と余剰浮力として被災状況を想定した安全マージンを確保した止水扉本体１を浮上させるための浮力を加えた合計を設定し、上部フロート５は予備のフロートとして下部フロート６と同等の浮力に設定するか、使用しないかのいずれかとする。
【００３２】
実施例３を図３ａと図３ｂと図３ｃと図３ｄを用いて詳細に説明する。
図３ａと図３ｂの止水扉本体１の上部に設置されたステップ部３の上面が地上面Ｅと同じ高さになるように水槽Ｃに格納されていて、水が流入し水槽Ｃに設けた排水孔Ｄにより通常は排水されるが、排水能力を上回り水槽Ｃの内の水位が上昇し図３ａと図３ｂのいずれかの浮上開始位置１Ｆ１以上の水位で上部フロート５によって止水扉本体１は止水しながら水位と共に上昇下降し、図３ｃの施設入り口の最高部Ｂ１を超える図３ｃと図３ｄの水位３Ｈｃでも施設内部Ａを水害から守り、水没や相当の水位上昇が想定される場合に使用される。
【００３３】
また、図３ｃと図３ｄの止水扉本体１が水圧を受けても正常に作動する事に関して、上部フロート５の浮力により止水扉本体１が上昇下降する動作をメインガイドローラー７ａ７ｂと横方向ガイドローラー８ａ８ｂが図３ａと図３ｃのいずれかの施設側壁Ｂに沿って形成する傾斜した左右のガイド柱２の間で転がりながら行う事で、水圧が止水扉本体１を押し付ける力はメインガイドローラー７ａ７ｂと横方向ガイドローラー８ａ８ｂと補助ローラー９の回転運動により回転摩擦に転換され大部分が消化される事で水圧により止水扉本体１を押し付ける力は大幅に軽減され、止水扉本体１の上昇下降運動の際のシール部材４ｂとの比較的小さな摩擦抵抗が主な摩擦抵抗として残り、システム全体として水圧の影響を最小限に押さえる構造で、補助ローラー９は水圧により止水扉本体１が歪み、図３ｂのシール部材４ｂと過度に密着し水圧による止水扉本体１の歪みによる各部分の破損を防ぐ事と、止水扉本体１とシール部材４ｂの間に生じる摩擦抵抗の増加による止水扉本体１の上昇下降運動を妨げないために設置されて、補助ローラー９は止水扉本体１と接触する面の幅が広い構造で必要箇所に設置する。
【００３４】
また、図３ａと図３ｃの傾斜したガイド柱２により止水扉本体１も傾斜して上下に移動する構造で止水扉本体１上部に設置されたステップ部３は上部フロート５の取り付け部となっていて抵抗板の役割も果たす事で、止水扉本体１が受ける図３ｃの水流１Ｊの力は傾斜により水流２Ｋの方向に働きステップ部３が水流２Ｋの抵抗を受けて止水扉本体１を押し上げるために、上部フロート５と相乗して止水扉本体１をより安定して上昇させ、止水扉本体１を上昇させる水流２Ｋの力は水流１Ｊの力の大きさに応じて大きくなるので、水面１Ｈａの上昇下降する速度に対しての止水扉本体１の反応速度と高さが常に最適に保たれ止水扉本体１の最高上昇位置となる上部ストッパー２２まで上昇し、図３ｃの止水扉本体１とシール部材４ｂによって施設入り口の最高部Ｂ１までを密閉し完全に止水する事で、図３ｃと図３ｄの止水扉本体１の上昇高の限界を超える水位３Ｈｃの様に施設屋根部１９を超える高水位の状況でも水の浸入を防ぎ、施設入り口を密閉し完全に止水する事で施設内部Ａを守ることができ、止水扉本体１とステップ部３は、施設の通常利用時に車両や人の出入りに支障が無く通過する車両や人の重さに耐えられる構造になっていて、格納時に止水扉本体１は図３ａと図３ｂの下部ストッパー２１支えられていて下部フロート６が損傷しない構造になっている。
【００３５】
また、0033と0034の効果を総合する事で水圧による抵抗の大部分は消化されて図３ｃと図３ｄの止水扉本体１とシール部材４ｂが接触する面積で生じる比較的軽い摩擦抵抗が主な抵抗となるので水圧による止水扉本体１の動きを妨げる抵抗が増加する事を防ぎ、下部フロート６の浮力で止水扉本体１の重量を支える事で待機状態の止水扉本体１は浮上開始位置１Ｆ１以上の水位で上部フロート５の浮力で容易に浮上する。
【００３６】
また、図３ｃと図３ｄの水槽Ｃ内の水が排水孔Ｄや外部動力などで排水されれば水面１Ｈａの下降と共に止水扉本体１は下降しながら格納される。
【００３７】
また、実施例３における図３ａと図３ｂと図３ｃと図３ｄの上部フロート５と下部フロート６の浮力の設定は、止水扉本体１と付随する各部材が浮上開始位置１Ｆ１よりも下部が水中にある場合の重量と浮上開始位置１Ｆ１よりも上部の重量の合計が同等よりも下回る最大浮力以下で下部フロート６によって浮上待機状態の止水扉本体１と付随する各部材の重量を支える為に必要な浮力を設定し、上部フロート５の浮力は残りの重量と止水扉本体１とシール部材４ｂの摩擦抵抗を上回る浮力と被災状況や施設の使用環境を想定した安全マージンを確保した止水扉本体１を浮上させるための浮力を設定する。
【００３８】
実施例４を、図４ａと図４ｂと図４ｃを用いて詳細に説明する。
図４ａと図４ｂの止水扉本体１の上部に設置されたステップ部３の上面が地上面Ｅと同じ高さになるように水槽Ｃに格納されていて、水が流入し水槽Ｃに設けた排水孔Ｄにより通常は排水されるが、排水能力を上回り水槽Ｃの内の水位が上昇し浮上開始位置２Ｆ２を超える水位で下部フロート６によって止水扉本体１を浮上させて、水槽Ｃが満水になる前に完全に閉鎖する事で施設内部Ａを水害から守り、迅速に閉鎖する事で水位上昇速度が速くて短時間で大量の水が押し寄せてくる事や、水没や相当の水位上昇に対応し、浮上待機状態の止水扉本体１は、浮上開始位置２Ｆ２以上の水位で下部フロート６の浮力で容易に浮上する。
【００３９】
また、図４ｃの水槽Ｃに水が流入した時には止水扉本体１は水槽Ｃの水位Ｈｂの高さに応じて上昇しているので、図４ａと図４ｃのガイド柱２と止水扉本体１傾斜する事の目的はガイドローラー７ａ７ｂと横方向ガイドローラー８ａ８ｂと補助ローラー９を安定してガイド柱２と接触させ、止水扉本体１の浮上時のガタつきを押さえシール部材４ｂと止水扉本体１を常に密着させる事とガイド柱２を垂直にする事よりもより安定させスムーズに作動させる事と、予想以上速さでの大水量の水が押し寄せてきた時に図４ｃのステップ部３が浮上開始位置２Ｆ２を超えた水流を受けて上部フロート５と相乗して上昇方向へ押し上げるため止水扉本体１が受ける水圧により抵抗が増加する事を防ぎ止水扉本体１の最高上昇位置となる上部ストッパー２２まで上昇し、止水扉本体１とシール部材４ｂによって施設入り口の最高部Ｂ１までを密閉し完全に止水する事で、止水扉本体１の上昇高の限界を超える水位３Ｈｃの様に施設屋根部１９を超える高水位の状況でも水の浸入を防ぎ、施設入り口を密閉し完全に止水する事で施設内部Ａを守ることができ、止水扉本体１とステップ部３は、施設の通常利用時に車両や人の出入りに支障が無く通過する車両や人の重さに耐えられる構造になっていて、格納時に止水扉本体１は図４ａと図４ｂの下部ストッパー２１支えられていて下部フロート６が損傷しない構造になっていて、補助ローラー９は水圧により止水扉本体１が歪み図４ｂのシール部材４ｂと過度に密着し水圧による止水扉本体１の歪みによる各部分の破損を防ぐ事と、止水扉本体１とシール部材４ｂの間に生じる摩擦抵抗の増加による止水扉本体１の上昇運動を妨げないために設置されて、補助ローラー９は止水扉本体１と接触する面の幅が広い構造で必要箇所に設置する。
【００４０】
また、図４ｃの水槽Ｃ内の水が排水孔Ｄや外部動力などで排水されれば水面２Ｈｂの下降と共に止水扉本体１は下降しながら格納される。
【００４１】
また、実施例４における図４ａと図４ｂと図４ｃの上部フロート５と下部フロート６の浮力の設定は、付属部材を全て取り付けた状態の止水扉本体１の全重量の合計重量と同等の浮力に、止水扉本体１が上昇下降する際のシール部材４ｂとの間に生じる摩擦抵抗による浮力の喪失分と余剰浮力として被災状況を想定した安全マージンを確保した止水扉本体１を浮上させるための浮力を加えた合計を設定し、上部フロート５は予備のフロートとして下部フロート６と同等の浮力に設定するか、使用しないかのいずれかとする。
【００４２】
実施例５を、図５ａと図５ｂと図５ｃと図５ｄを用いて詳細に説明する。
図５ａと図５ｂの止水扉本体１の上部に設置されたステップ部３の上面が地上面Ｅと同じ高さになるように水槽Ｃに格納されていて、水が流入し水槽Ｃに設けた排水孔Ｄにより通常は排水されるが、排水能力を上回り水槽Ｃの内の水位が上昇し浮上開始位置１Ｆ１以上の水位で上部フロート５によって止水扉本体１は止水しながら水位と共に上昇下降することで施設内部Ａを水害から守り、重量扉を必要とし水位上昇速度が遅い場合や上昇水位が低い場合や完全に閉鎖する事を必要としない施設への設置や水位上昇中に避難者等が出入りする事を想定し使用される。
【００４３】
また、図５ｃと図５ｄの止水扉本体１が水圧を受けても正常に作動する事に関して、上部フロート５の浮力により止水扉本体１が上昇下降する動作をメインガイドローラー７ａ７ｂと横方向ガイドローラー８ａ８ｂが図５ａと図５ｃのいずれかの施設側壁Ｂに沿って形成する傾斜した左右のガイド柱２の間で転がりながら行う事で、水圧が止水扉本体１を押し付ける力はメインガイドローラー７ａ７ｂと横方向ガイドローラー８ａ８ｂと補助ローラー９の回転運動により回転摩擦に転換され大部分が消化される事で水圧により止水扉本体１を押し付ける力は大幅に軽減され、止水扉本体１の上昇下降運動の際のシール部材４ａとの比較的小さな摩擦抵抗が主な摩擦抵抗として残り、システム全体として水圧の影響を最小限に押さえる構造で、補助ローラー９は水圧により止水扉本体１が歪み、図５ｂのシール部材４ａと過度に密着し水圧による止水扉本体１の歪みによる各部分の破損を防ぐ事と、止水扉本体１とシール部材４ａの間に生じる摩擦抵抗の増加による止水扉本体１の上昇下降運動を妨げないために設置されて、補助ローラー９は止水扉本体１と接触する面の幅が広い構造で必要箇所に設置する。
【００４４】
また、図５ａと図５ｃの傾斜したガイド柱２により止水扉本体１も傾斜して上下に移動する構造で止水扉本体１上部に設置されたステップ部３は上部フロート５の取り付け部となっていて抵抗板の役割も果たす事で、止水扉本体１が受ける図５ｃの水流１Ｊの力は傾斜により水流２Ｋの方向に働きステップ部３が水流２Ｋの抵抗を受けて止水扉本体１を押し上げるために、上部フロート５と相乗して止水扉本体１をより安定して上昇させ、止水扉本体１は最高上昇位置のストッパー２２まで上昇しステップ部３を下回る水位まで防ぐことができ、止水扉本体１を上昇させる水流２Ｋの力は水流１Ｊの力の大きさに応じて大きくなるので、水面１Ｈａの上昇下降する速度に対して止水扉本体１の反応速度と高さが常に最適に保たれ、止水扉本体１とステップ部３は、施設の通常利用時に車両や人の出入りに支障が無く通過する車両や人の重さに耐えられる構造になっていて、格納時に止水扉本体１は図５ａと図５ｂの下部ストッパー２１支えられていて下部フロート６が損傷しない構造になっている。
【００４５】
また、0043と0044の効果を総合する事で水圧による抵抗の大部分は消化されて図５ｃと図５ｄの止水扉本体１とシール部材４ａが接触する面積で生じる比較的軽い摩擦抵抗が主な抵抗となるので水圧による止水扉本体１の動きを妨げる抵抗が増加する事を防ぎ、浮上開始位置１Ｆ１を下回る水位で下部フロート６の浮力とカウンターウエイト１５の重量で浮上待機状態の止水扉本体１の重量を支える事で止水扉本体１は浮上開始位置１Ｆ１以上の水位で上部フロート５の浮力により容易に浮上する。
【００４６】
また、図５ａと図５ｂと図５ｃと図５ｄのカウンターウエイト１５は、ワイヤ１３が止水扉本体１にワイヤ取り付け部材１４を使用し取り付けられワイヤ角度補正用補助滑車１２を介し垂直に補正されメイン滑車１１を通してカウンターウエイトガイド柱１６内にカウンターウエイト１５を吊るしている構造で、カウンターウエイトガイド柱１６の上端部は水が入り込まない構造で、防水カバー１７で防水され、図５ｂのガイド柱２に沿って左右対称もしくはどちらか一方に設置され、カウンターウエイト１５は下部フロート６の浮力不足や下部フロート６が使用出来ない状況を補い止水扉本体１を確実でスムーズに浮上する様に補助する事と、大型施設に設置する事や相当の大水害も想定する場合に必要となる高強度の扉を使用する場合の重量増加や下部フロート６の浮力が不足する場合や下部フロート６が使用できない場合に対応する事が目的である。
【００４７】
また、図５ｃと図５ｄの水槽Ｃ内の水が排水孔Ｄや外部動力などで排水されれば水面１Ｈａの下降と共に止水扉本体１は下降しながら格納される。
【００４８】
また、実施例５における図５ａと図５ｂと図５ｃと図５ｄの上部フロート５と下部フロート６の浮力とカウンターウエイト１５の重量の設定は、下部フロート６の浮力は、止水扉本体１に付随する各部材を取り付けた状態の上部フロート５の浮上開始位置１Ｆ１よりも下部が水中にある場合の重量と浮上開始位置１Ｆ１よりも上部の重量の合計と同等よりも下回る最大以下の浮力で,不足する浮力分をカウンターウエイト１５によって必要とする浮力と同等の重量を左右に均等に割り振るか、もしくはどちらか一方の重量としてカウンターウエイト１５の重量によって不足する浮力を補う様に設定し、下部フロート６の浮力とカウンターウエイト１５の重量で浮上待機状態の止水扉本体１と付随する各部材の重量を支える為に必要な浮力と重量を設定し、上部フロート５の浮力の設定は残りの重量と止水扉本体１とシール部材４ａとの摩擦抵抗による浮力の損失を考慮しそれを上回る浮力と被災状況や施設の使用環境を想定した余剰浮力を安全マージンとして確保した止水扉本体１を浮上させるための浮力を設定し、下部フロート６を使用しない場合の下部フロート６の浮力分はカウンターウエイト１５の重量に加算する事とする。
【００４９】
また、実施例５における図５ａと図５ｂと図５ｃと図５ｄのカウンターウエイト１５については、使用するワーヤ１３とワイヤ取り付け部材１４の重量を浮上開始位置１Ｆ１より上部の重量に含む事が必要である。
【００５０】
実施例６を、図６ａと図６ｂと図６ｃを用いて詳細に説明する。
図６ａと図６ｂの止水扉本体１の上部に設置されたステップ部３の上面が地上面Ｅと同じ高さになるように水槽Ｃに格納されていて、水が流入し水槽Ｃに設けた排水孔Ｄにより通常は排水されるが、排水能力を上回り水槽Ｃの内の水位が上昇し浮上開始位置２Ｆ２を超える水位で下部フロート６によって止水扉本体１を浮上させて、水槽Ｃが満水になる前に完全に浮上する事で施設内部Ａを水害から守り、重量扉を必要とし水位上昇速度が速くて短時間で大量の水が押し寄せてくる事を想定し、完全に閉鎖する事を必要としない施設へ使用される。
【００５１】
また、図６ｃの水槽Ｃに水が流入した時には止水扉本体１は水槽Ｃの水位Ｈｂの高さに応じて上昇しているので、図６ａと図６ｃのガイド柱２と止水扉本体１傾斜する事の目的はメインガイドローラー７ａ７ｂと横方向ガイドローラー８ａ８ｂと補助ローラー９を安定してガイド柱２と接触させ、止水扉本体１の浮上時のガタつきを押さえシール部材４ａと止水扉本体１を常に密着させる事とガイド柱２を垂直にする事よりもより安定させスムーズに作動させる事と、予想以上速さでの大水量の水が押し寄せてきた時に図６ｃのステップ部３が浮上開始位置２Ｆ２を超えた水流を受けて上部フロート５と相乗して上昇方向へ押し上げるため止水扉本体１が受ける水圧により抵抗が増加する事を防ぎ、止水扉本体１は最高上昇位置のストッパー２２まで上昇しステップ部３を下回る水位まで防ぐことができ、止水扉本体１とステップ部３は、施設の通常利用時に車両や人の出入りに支障が無く通過する車両や人の重さに耐えられる構造になっていて、格納時に止水扉本体１は図６ａと図６ｂの下部ストッパー２１支えられていて下部フロート６が損傷しない構造になっていて、補助ローラー９は水圧により止水扉本体１が歪み、図６ｂのシール部材４ａと過度に密着し水圧による止水扉本体１の歪みによる各部分の破損を防ぐ事と、止水扉本体１とシール部材４ａの間に生じる摩擦抵抗の増加による止水扉本体１の上昇運動を妨げないために設置されて、補助ローラー９は止水扉本体１と接触する面の幅が広い構造で必要箇所に設置する。
【００５２】
また、図６ａと図６ｂと図６ｃのカウンターウエイト１５は、ワイヤ１３が止水扉本体１にワイヤ取り付け部材１４を使用し取り付けられワイヤ角度補正用補助滑車１２を介し垂直に補正されメイン滑車１１を通してカウンターウエイトガイド柱１６内にカウンターウエイト１５を吊るしている構造で、カウンターウエイトガイド柱１６の上端部は水が入り込まない構造で、防水カバー１７で防水され、図６ｂのガイド柱２に沿って左右対称もしくはどちらか一方に設置され、カウンターウエイト１５は下部フロート６の浮力不足を補い止水扉本体１を確実でスムーズに浮上する様に補助する事と、大型施設に設置する事や相当の大水害も想定する場合に必要となる高強度の扉を使用する場合の大重量に対応する事が主な目的で、カウンターウエイト１５が浮上待機状態の止水扉本体１と付随する部材の重量を支える事で浮上開始位置２Ｆ２以上の水位で下部フロート６の浮力により容易に浮上する。
【００５３】
また、図６ｃの水槽Ｃ内の水が排水孔Ｄや外部動力などで排水されれば水面２Ｈｂの下降と共に止水扉本体１は下降しながら格納される。
【００５４】
また、実施例６における図６ａと図６ｂと図６ｃの上部フロート５と下部フロート６の浮力とカウンターウエイト１５重量の設定は、付属部材を全て取り付けた状態の止水扉本体１の全重量の合計重量と同等を下回る最大重量をカウンターウエイト１５の重量として左右に均等割り振るか、もしくはどちらか一方として設定し、カウンターウエイト１５の重量によって浮上待機状態の付属部材を全て取り付けた状態の止水扉本体１の全重量を支える事が目的で、下部フロート６の浮力は止水扉本体１が上昇下降する際のシール部材４ａとの間に生じる摩擦抵抗と付属部材を全て取り付けた状態の止水扉本体１の浮上に必要な浮力と余剰浮力として被災状況を想定した安全マージンを確保した止水扉本体１を浮上させるための浮力を下部フロート６の浮力として設定し、上部フロート５は予備のフロートとして下部フロート６と同等の浮力に設定するか、使用しないかのいずれかとする。
【００５５】
実施例７を、図７ａと図７ｂと図７ｃと図７ｄを用いて詳細に説明する。
図７ａと図７ｂの止水扉本体１の上部に設置されたステップ部３の上面が地上面Ｅと同じ高さになるように水槽Ｃに格納されていて、水が流入し水槽Ｃに設けた排水孔Ｄにより通常は排水されるが、排水能力を上回り水槽Ｃの内の水位が上昇し浮上開始位置１Ｆ１以上の水位で上部フロート５によって止水扉本体１は止水しながら水位と共に上昇下降する事で施設内部Ａを水害から守り、重量扉を必要とし水没や相当の水位上昇が想定される場合に使用される。
【００５６】
また、図７ｃと図７ｄの止水扉本体１が水圧を受けても正常に作動する事に関して、上部フロート５の浮力により止水扉本体１が上昇下降する動作をメインガイドローラー７ａ７ｂと横方向ガイドローラー８ａ８ｂが図７ａと図７ｃのいずれかの施設側壁Ｂに沿って形成する傾斜した左右のガイド柱２の間で転がりながら行う事で、水圧が止水扉本体１を押し付ける力はメインガイドローラー７ａ７ｂと横方向ガイドローラー８ａ８ｂと補助ローラー９の回転運動により回転摩擦に転換され大部分が消化される事で水圧により止水扉本体１を押し付ける力は大幅に軽減され、止水扉本体１の上昇下降運動の際のシール部材４ｂとの比較的小さな摩擦抵抗が主な摩擦抵抗として残り、システム全体として水圧の影響を最小限に押さえる構造で、補助ローラー９は水圧により止水扉本体１が歪みシール部材４ｂと過度に密着し水圧による止水扉本体１の歪みによる各部分の破損を防ぐ事と、止水扉本体１とシール部材４ｂの間に生じる摩擦抵抗の増加による止水扉本体１の上昇下降運動を妨げないために設置されて、補助ローラー９は止水扉本体１と接触する面の幅が広い構造で必要箇所に設置する。
【００５７】
また、図７ａと図７ｃの傾斜したガイド柱２により止水扉本体１も傾斜して上下に移動する構造で止水扉本体１上部に設置されたステップ部３は上部フロート５の取り付け部となっていて抵抗板の役割も果たす事で、止水扉本体１の前面が受ける図７ｃの水流１Ｊの力は傾斜により水流２Ｋの方向に働きステップ部３が水流２Ｋの抵抗を受けて止水扉本体１を押し上げるために、上部フロート５と相乗して止水扉本体１をより安定して上昇させ、止水扉本体１を上昇させる水流２Ｋの力は水流１Ｊの力の大きさに応じて大きくなるので、水面１Ｈａの上昇下降する速度に対しての止水扉本体１の反応速度と高さが常に最適に保たれ止水扉本体１の最高上昇位置となる上部ストッパー２２まで上昇し、止水扉本体１とシール部材４ｂによって施設入り口の最高部Ｂ１までを密閉し完全に止水する事で、図７ｃと図７ｄの止水扉本体１の上昇高の限界を超える水位３Ｈｃの様に施設屋根部１９を超える高水位の状況でも施設内部Ａを守ることができ、止水扉本体１とステップ部３は、施設の通常利用時に車両や人の出入りに支障が無く通過する車両や人の重さに耐えられる構造になっていて、格納時に止水扉本体１は図７ａと図７ｂの下部ストッパー２１支えられていて下部フロート６が損傷しない構造になっている。
【００５８】
また、0056と0057の効果を総合する事で水圧による抵抗の大部分は消化されて図７ｃと図７ｄの止水扉本体１とシール部材４ｂが接触する面積で生じる比較的軽い摩擦抵抗が主な抵抗となるので水圧による止水扉本体１の動きを妨げる抵抗が増加する事を防ぎ、浮上開始位置１Ｆ１を下回る水位で下部フロート６の浮力とカウンターウエイト１５の重量で浮上待機状態の止水扉本体１の重量を支える事で止水扉本体１は浮上開始位置１Ｆ１以上の水位で上部フロート５の浮力により容易に浮上する。
【００５９】
また、図７ａと図７ｂと図７ｃと図７ｄのカウンターウエイト１５は、ワイヤ１３が止水扉本体１にワイヤ取り付け部材１４を使用し取り付けられワイヤ角度補正用補助滑車１２を介し垂直に補正されメイン滑車１１を通してカウンターウエイトガイド柱１６内にカウンターウエイト１５を吊るしている構造で、カウンターウエイトガイド柱１６の上端部は水が入り込まない構造で、防水カバー１７で防水され、図７ｂのガイド柱２に沿って左右対称もしくはどちらか一方に設置され、カウンターウエイト１５は下部フロート６の浮力不足や下部フロート６が使用出来ない状況を補い止水扉本体１を確実でスムーズに浮上する様に補助する事と、大型施設に設置する事や相当の大水害も想定する場合に必要となる高強度の扉を使用する場合の重量増加や下部フロート６の浮力が不足する場合や下部フロート６が使用できない場合に対応する事が目的である。
【００６０】
また、図７ｃと図７ｄの水槽Ｃ内の水が排水孔Ｄや外部動力などで排水されれば水面１Ｈａの下降と共に止水扉本体１は下降しながら格納される。
【００６１】
また、実施例７における図７ａと図７ｂと図７ｃと図７ｄの上部フロート５と下部フロート６の浮力とカウンターウエイト１５の重量の設定は、下部フロート６の浮力が、止水扉本体１に付随する各部材を取り付けた状態の上部フロート５の浮上開始位置１Ｆ１よりも下部が水中にある場合の重量と浮上開始位置１Ｆ１よりも上部の重量の合計と同等よりも下回る最大以下の浮力で,不足する浮力分をカウンターウエイト１５によって必要とする浮力と同等の重量を左右に均等に割り振るか、もしくはどちらか一方として設定し、カウンターウエイト１５の重量によって不足する浮力を補う様に設定し、下部フロート６の浮力とカウンターウエイト１５の重量で浮上待機状態の止水扉本体１と付随する各部材の重量を支える為に必要な浮力と重量を設定し、上部フロート５の浮力の設定は残りの重量と止水扉本体１とシール部材４ｂとの摩擦抵抗による浮力の損失を考慮しそれを上回る浮力と被災状況や施設の使用環境を想定した余剰浮力を安全マージンとして確保した止水扉本体１を浮上させるための浮力を設定し、下部フロート６を使用しない場合の下部フロート６の浮力分はカウンターウエイト１５の重量に加算する事とする。
【００６２】
また、実施例７における図７ａと図７ｂと図７ｃと図７ｄのカウンターウエイト１５については、使用するワーヤ１３とワイヤ取り付け部材１４の重量を浮上開始位置１Ｆ１より上部の重量に含む事が必要である。
【００６３】
実施例８を、図８ａと図８ｂと図８ｃを用いて詳細に説明する。
図８ａと図８ｂの止水扉本体１の上部に設置されたステップ部３の上面が地上面Ｅと同じ高さになるように水槽Ｃに格納されていて、水が流入し水槽Ｃに設けた排水孔Ｄにより通常は排水されるが、排水能力を上回り水槽Ｃの内の水位が上昇し浮上開始位置２Ｆ２を超える水位で下部フロート６によって止水扉本体１を浮上させて、水槽Ｃが満水になる前に完全に閉鎖する事で施設内部Ａを水害から守り、重量扉を必要とし水位上昇速度が速くて短時間で大量の水が押し寄せてくる事を想定し迅速に閉鎖する。
【００６４】
また、図８ｃの水槽Ｃに水が流入した時には止水扉本体１は水槽Ｃの水位Ｈｂの高さに応じて上昇しているので、図８ａと図８ｃのガイド柱２と止水扉本体１傾斜する事の目的はメインガイドガイドローラ７ａ７ｂと横方向ガイドローラー８ａ８ｂと補助ローラー９を安定してガイド柱２と接触させ、止水扉本体１の浮上時のガタつきを押さえシール部材４ｂと止水扉本体１を常に密着させる事とガイド柱２を垂直にする事よりもより安定させスムーズに作動させる事と、予想以上速さでの大水量の水が押し寄せてきた時に図８ｃのステップ部３が浮上開始位置２Ｆ２を超えた水流を受けて上部フロート５と相乗して上昇方向へ押し上げるため止水扉本体１が受ける水圧により抵抗が増加する事を防ぎ止水扉本体１の最高上昇位置となる上部ストッパー２２まで上昇し、止水扉本体１とシール部材４ｂによって図８ｂの施設入り口の最高部Ｂ１までを密閉し完全に止水する事で、図８ｃの止水扉本体１の上昇高の限界を超える水位３Ｈｃの様に施設屋根部１９を超える高水位の状況でも施設入り口を密閉し完全に止水する事で守る事ができ、止水扉本体１とステップ部３は、施設の通常利用時に車両や人の出入りに支障が無く通過する車両や人の重さに耐えられる構造になっていて、格納時に止水扉本体１は図８ａと図８ｂの下部ストッパー２１支えられていて下部フロート６が損傷しない構造になっていて、補助ローラー９は水圧により止水扉本体１が歪みシール部材４ｂと過度に密着し水圧による止水扉本体１の歪みによる各部分の破損を防ぐ事と、止水扉本体１とシール部材４ｂの間に生じる摩擦抵抗の増加による止水扉本体１の上昇運動を妨げないために設置されて、補助ローラー９は止水扉本体１と接触する面の幅が広い構造で必要箇所に設置する。
【００６５】
また、図８ａと図８ｂと図８ｃのカウンターウエイト１５は、ワイヤ１３が止水扉本体１にワイヤ取り付け部材１４を使用し取り付けられワイヤ角度補正用補助滑車１２を介し垂直に補正されメイン滑車１１を通してカウンターウエイトガイド柱１６内にカウンターウエイト１５を吊るしている構造で、カウンターウエイトガイド柱１６の上端部は水が入り込まない構造で、防水カバー１７で防水され、図８ｂのガイド柱２に沿って左右対称もしくはどちらか一方に設置され、カウンターウエイト１５は下部フロート６の浮力不足を補い止水扉本体１を確実でスムーズに浮上する様に補助する事と、大型施設に設置する事や相当の大水害も想定する場合に必要となる高強度の扉を使用する場合の大重量に対応する事が主な目的で、カウンターウエイト１５が浮上待機状態の止水扉本体１と付随する部材の重量を支える事で浮上開始位置２Ｆ２以上の水位で下部フロート６の浮力により容易に浮上する。
【００６６】
また、図８ｃの水槽Ｃ内の水が排水孔Ｄや外部動力などで排水されれば水面２Ｈｂの下降と共に止水扉本体１は下降しながら格納される。
【００６７】
また、実施例８における図８ａと図８ｂと図８ｃの上部フロート５と下部フロート６の浮力とカウンターウエイト１５重量の設定は、付属部材を全て取り付けた状態の止水扉本体１の全重量の合計重量と同等を下回る最大重量をカウンターウエイト１５の重量として左右に均等割り振るか、もしくはどちらか一方として設定し、カウンターウエイト１５の重量によって浮上待機状態の付属部材を全て取り付けた状態の止水扉本体１の全重量を支える事が目的で、下部フロート６の浮力は止水扉本体１が上昇下降する際のシール部材４ｂとの間に生じる摩擦抵抗と付属部材を全て取り付けた状態の止水扉本体１の浮上に必要な浮力と余剰浮力として被災状況を想定した安全マージンを確保した止水扉本体１を浮上させるための浮力を下部フロート６の浮力として設定し、上部フロート５は予備のフロートとして下部フロート６と同等の浮力に設定するか、使用しないかのいずれかとする。
【００６８】
実施例１と実施例３に使用される図９の止水扉本体１を形成する素材は、水に浮かない材質で形状は密閉されない構造で止水扉本体１の内外各部に水がたまる事無いように形成し止水扉の背面Ｂａ側の面が、平面であれば強度を優先した設計ができるので下部フロート６の浮力と同等の重量を下回る最大重量を超えない範囲の重量であれは、鉄やアルミやステンレスなどを使用する事ができ、止水扉の背面Ｂａ側の面は研磨や薄板を貼付けする事やシートの張りつけ加工などの、平面部材１ａを使用するなどして平面に形成し、海沿いの地域や海水が押し寄せる恐れがある場合には防錆性の高い素材である必要がある。
【００６９】
実施例２と実施例４に使用される図９の止水扉本体１を形成する素材は、水に浮かない材質で形状は密閉されない構造で止水扉本体１の内外各部に水がたまる事無いように形成し止水扉の背面Ｂａ側の面が、平面であれば強度を優先した設計ができるので下部フロート６で浮上させられる範囲の重量であれば、鉄やアルミやステンレスなどを使用する事ができ、止水扉の背面Ｂａ側の面は研磨や薄板を貼付けする事やシートの張りつけ加工などの、平面部材１ａを使用するなどして平面に形成し、海沿いの地域や海水が押し寄せる恐れがある場合には防錆性の高い素材である必要がある。
【００７０】
実施例５と実施例６と実施例７と実施例８に使用される図９の止水扉本体１を形成する素材は、水に浮かない材質で形状は密閉されない構造で止水扉本体１の内外各部に水がたまる事無いように形成し止水扉の背面Ｂａ側の面が、平面であれば強度を優先した設計ができるので重量の制限がなく鉄やアルミやステンレスなどを使用する事ができ、止水扉の背面Ｂａ側の面は研磨や薄板を貼付けする事やシートの張りつけ加工などの、平面部材１ａを使用するなどして平面に形成し、海沿いの地域や海水が押し寄せる恐れがある場合には防錆性の高い素材である必要がある。
【００７１】
実施例１と実施例２と実施例３と実施例４と実施例５と実施例６と実施例７と実施例８に使用される図９のステップ部３は、車両や人が出入りする場合などの施設が通常使用される目的を考慮し必要な強度や滑り止め加工など利用され方によって素材を選択し、各設定の範囲内の重量で必要な素材を使用でき、海沿いの地域や海水が押し寄せる恐れがある場合には防錆性の高い素材である必要がある。
【００７２】
また、実施例１の図１ｂと実施例２の図２ｂと実施例５の図５ｂと実施例６の図６ｂに使用されるステップ部３と止水扉本体１は図９で説明すると、止水扉本体１の背面側Ｂａの面は図１ｂと図２ｂと図５ｂと図６ｂのシール部材４ａと密着する必要があるため平面であり、ステップ部３は止水扉本体１の上面に設置する。
【００７３】
また、実施例３の図３ｂと実施例４の図４ｂと実施例７の図７ｂと実施例８の図８ｂに使用されるステップ部３は図９で説明すると、止水扉本体１の背面側Ｂａの面は図３ｂと図４ｂと図７ｂと図８ｂのシール部材４ｂと密着する必要があるため平面を保ち形成し、ステップ部３は止水扉本体１の背面側Ｂａに突出する様に形成する事はできない。
【００７４】
図９の上部フロート５と下部フロート６は漂流物が接触する事も考慮する必要があるため、十分に強度がある素材と構造で海沿いの地域や海水が押し寄せる恐れがある場合には防錆性の高い素材である必要がある。
【００７５】
実施例５と実施例６と実施例７と実施例８に使用される図９のワイヤ取り付け部材１４について説明すると、止水扉本体１の左右対称でメインガイドローラー７ａ７ｂと横方向ガイドローラー８ａ８ｂの取り付け位置を超える上部に、いずれの部分とも接触する事がない様に取り付けられ、実施例１と実施例２と実施例３と実施例４には使用しない。
【００７６】
図１０のシール部材については、実施例３と実施例４と実施例７と実施例８は上下左右４方向一体形成されたシール部材４ｂを使用し、実施例１と実施例２と実施例５と実施例６は左右下３方向一体形成されたシール部材４ａを使用し、いずれも摩擦抵抗が少なく耐久性に優れた素材を使用する。
【００７７】
図１１のガイド柱２は出入り口の施設側壁Ｂの上部から出入り口前面の地下に埋設された水槽Ｃの底面まで形成され、ガイド柱２左右の間および出入り口の施設側壁Ｂに対してガイド柱２の上部を図１１の設置位置の後方Ｂｂの方向に、下部を設置位置の前方Ｆｂの方向に傾斜する様に設置する。
【００７８】
図１１のガイド柱２の設置角度は、平常時に使用される環境と想定される水流の規模とシステム全体を設置するスペースの問題などを考慮して決定され、垂直であっても可能であるが、傾斜する事でより安定して作動し想定を超える水流による水圧を受けても動作が停止する事がない。
【００７９】
図１１とのガイド柱２は止水扉本体１の強度を十分に確保した素材で、鉄やステンレスなどが使用でき、海沿いの地域や海水が押し寄せる恐れがある場合には防錆性の高い素材である必要がある。
【００８０】
図１１と図１２の水槽Ｃはフロート式止水扉システムを設置する場所により必要な容量が設計可能で水が流入できる容積が大きい方が止水扉本体１の動作を安定させる事ができ、流入した水は通常は配水管Ｄにより、下水や排水システムなどに排水される。
【００８１】
図１２のステップ部３は、車両や人が出入りする場合などの施設が通常使用される目的を考慮し必要な強度を確保する事や滑り止め加工など、利用され方によって素材を選択し、各設定の範囲内の重量であれば必要な素材を使用できる。
【００８２】
図１２のステップ部３は、車両や人が出入りする場合などの施設が通常使用される目的を考慮し必要な強度や滑り止め加工など利用され方によって素材を選択する。
【００８３】
図１３のカウンターウエイト１５とそれに関連する部材の使用について、ワイヤ１３が止水扉本体１にワイヤ取り付け部材１４を使用し取り付けられワイヤ角度補正用補助滑車１２を介し垂直に補正されメイン滑車１１を通してカウンターウエイトガイド柱１６内にカウンターウエイト１５を吊るしている構造で、上端部は水が入り込まない構造になっていて防水カバー１７で防水され、実施例５の図５ｂと実施例６の図６ｂと実施例７の図７ｂと実施例８の図８ｂのガイド柱２に沿って左右対称もしくはどちらか一方に設置することで、止水扉本体１の強度を確保した場合の重量の増加や下部フロート６を使用しない又は必要な浮力が不足する場合に対応する。
【００８４】
図１４の水槽Ｃ上部は通常利用時の安全確保及び被災時の異物流入防止のためステップ部３と地表面Ｅと水平にグレーキング１８などを、水槽Ｃ内部に配水管Ｄを阻害しない様に柱Ｇを形成し設置し、上部フロート５の下にも巻き込み防止のためグレーキング１８などを設置し、ガイド柱と上部フロート５と下部フロート６が接触しない様に隙間をあけておく事が必要である。
【産業上の利用可能性】
【００８５】
本発明のフロート式止水扉は、様々な水害に対して停電時にも無動力で無人で自然作動し効果的に止水能力を発揮する事から地下鉄や地下施設や会社工場や一般家屋や防潮堤など、水害が予想される地域や、様々な建築建造物の出入り口ないし通路等に設置され、その内部又は内側の設備や資産や人命を守る事ができて部品点数が少なく構造も簡素であるために定期点検も容易で、設置後の維持費も安価で耐用年数も長期であるため対費用効果にも優れたシステムである。
また、日常的に、人の出入りが多い施設では水位上昇に合わせ止水扉が上昇する作動設定が適し、地下鉄出入り口や地下施設などに利用できる。
また、カウンターウエイトを使用する止水扉は重量に制限がないため必要な強度を十分に確保できて、止水扉の全幅全高も自由に設計できる事から、大型施設や重要施設や発電所や工場倉庫の出入り口などに設置し対水没を考慮したシステムで内部設備や人命を守るために利用できる。
また、人や車両の通行の妨げにならず浸水する場合にのみ作動するため様々な施設や工場などの建造物や通路などに利用できる。
また、海岸沿線や河川付近や低地にある公共施設や公民館や工場倉庫に水没する事を想定した対水施工をして本発明のフロート式止水扉を設置する事により、津波や洪水発生時に内部の設備や資産を守る事と緊急避難所として利用できる。
また、通常利用している多くの施設が利用する事ができるために別に避難所を建設する必要がなく、現在ある多くの施設が設置対象となるので対費用効果に優れていて比較的短工期で設置する事ができるために短期間に多くの場所に難施設を設ける事ができる。
また、基本設計を同じくした複数の設定方法が実施できるシステムであるため製品としてある程度の規格化が可能となるので生産コストが低く抑えられる。
また、作動は人による操作が必要ないため作業員の人命も守られ避難活動や避難誘導活動などを集中して遂行できるようになるため、水害避難システムの一環として考えると、短時間に効率よく避難活動が行えるため本考案のフロート式止水扉による防水システムとしての利用可能生は大と解する。
【符号の説明】
【００８６】
１    止水扉本体
１ａ  平面部材
２    ガイド柱
３    ステップ部
４ａ  シール部材ａ
４ｂ  シール部材ｂ
５    上部フロート
６    下部フロート
７ａ  メインガイドローラー
７ｂ  メインガイドローラー
８ａ  横方向ガイドローラー
８ｂ  横方向ガイドローラー
９    補助ローラー
１１  メイン滑車
１２  ワイヤ角度補正用補助滑車
１３  ワイヤ
１４  ワイヤ取り付け部材
１５  カウンターウエイト
１６  カウンターウエイトガイド柱
１７  防水カバー
１８  グレーキング
１９  施設屋根部
２１  下部ストッパー
２２  上部ストッパー
Ａ    施設内部
Ｂ    施設側壁
Ｂ１  施設入り口の最高部
Ｃ    水槽
Ｄ    配水管
Ｅ    地表面
Ｇ    柱
Ｈａ  水面１
Ｈｂ  水面２
Ｈｃ  水面３
Ｊ    水流１
Ｋ    水流２
Ｆ１  浮上開始位置１
Ｆ２  浮上開始位置２
Ｆａ  止水扉の前面側
Ｂａ  止水扉の背面側
Ｆｂ  設置位置の前方
Ｂｂ  設置位置の後方
【要約】      （修正有）【課題】水害を受ける可能性のある様々な施設の扉を、自然の力のみで必要な時に作動し水圧の影響を受けても止水扉がスムーズに作動する止水扉システムを提供する。【解決手段】設置対象となる建築建造物の入り口前面下に設けた水槽Cと、ガイド柱２と、止水扉本体１と、該扉がガイド柱にそってスムーズに上下できるように配置されたベアリング又はローラー７から構成され、上部フロート５と下部フロート６の浮力、カウンターウエイト１５の重量を的確に設定する事により、重量に制限されない必要な強度を確保した扉を使用する事ができ、水槽内に水が流入し水槽内の水位に応じて扉が上昇し止水する場合や、水槽外の水位に応じて扉が上昇ながら止水する場合など、止水扉の浮上開始水位を任意で設定し、どちらの場合も水位の上昇に合わせて扉も上昇し、水位が下がる事により扉も下降する。【選択図】図５ｂ【図１ａ】
0005416292.tif 000002
【図１ｂ】
0005416292.tif 000003
【図１ｃ】
0005416292.tif 000004
【図１ｄ】
0005416292.tif 000005
【図２ａ】
0005416292.tif 000006
【図２ｂ】
0005416292.tif 000007
【図２ｃ】
0005416292.tif 000008
【図３ａ】
0005416292.tif 000009
【図３ｂ】
0005416292.tif 000010
【図３ｃ】
0005416292.tif 000011
【図３ｄ】
0005416292.tif 000012
【図４ａ】
0005416292.tif 000013
【図４ｂ】
0005416292.tif 000014
【図４ｃ】
0005416292.tif 000015
【図５ａ】
0005416292.tif 000016
【図５ｂ】
0005416292.tif 000017
【図５ｃ】
0005416292.tif 000018
【図５ｄ】
0005416292.tif 000019
【図６ａ】
0005416292.tif 000020
【図６ｂ】
0005416292.tif 000021
【図６ｃ】
0005416292.tif 000022
【図７ａ】
0005416292.tif 000023
【図７ｂ】
0005416292.tif 000024
【図７ｃ】
0005416292.tif 000025
【図７ｄ】
0005416292.tif 000026
【図８ａ】
0005416292.tif 000027
【図８ｂ】
0005416292.tif 000028
【図８ｃ】
0005416292.tif 000029
【図９】
0005416292.tif 000030
【図１０】
0005416292.tif 000031
【図１１】
0005416292.tif 000032
【図１２】
0005416292.tif 000033
【図１３】
0005416292.tif 000034
【図１４】
0005416292.tif 000035